(57)【要約】【課題】簡単に害獣を止め刺すことができる、止め刺し器および止め刺し方法を提供する。【解決手段】止め刺し器１は、絶縁性材料で形成された棒状の絶縁棒２と、絶縁棒２の一端に配置された、かつ、電圧が印加されたときに陽極となるプラス電極部３と、プラス電極部３と電気的に接続されており、かつ、プラス電極部に平均電圧値０．３５〜１．５ｋＶを有するパルス状電圧を出力時間１〜１０ｍ秒で印加可能なパルス状電圧印加回路５を備える。止め刺し作業者は、クリップ形状を有するマイナス電極部６で檻１２の金属棒１２Ａを挟持してマイナス電極部６を接地し、出力オンオフスイッチ１０を押してパルス状電圧印加回路５をオンに切替え、プラス電極部３にパルス状電圧を印加し、イノシシ１３にプラス電極部３を接触させる。【選択図】図１
2018007577.tif 000002
【特許請求の範囲】
【請求項１】
絶縁性材料で形成されており、かつ、棒状である棒状部材と、
該棒状部材の一端に配置されており、かつ、電圧が印加されたときに陽極となるプラス電極部と、
該プラス電極部と電気的に接続されており、かつ、同プラス電極部に平均電圧値０．３５〜１．５ｋＶを有するパルス状電圧を出力時間１〜１０ｍ秒で印加可能なパルス状電圧印加回路と、
該パルス状電圧印加回路と電気的に接続されており、かつ、電圧が印加されたときに陰極となるマイナス電極部とを備える
止め刺し器。
【請求項２】
前記パルス状電圧印加回路は、パルス出力制御信号を出力可能な制御部と、該制御部が出力したパルス出力制御信号に基づいて交互にオンになることが可能な２つの絶縁ゲートバイポーラトランジスタとを有する
請求項１に記載の止め刺し器。
【請求項３】
前記パルス状電圧印加回路は、２つの前記絶縁ゲートバイポーラトランジスタそれぞれと電気的に接続された２つのダイオードと、該ダイオードおよび前記絶縁ゲートバイポーラトランジスタと電気的に接続された２つの電解コンデンサとを有する
請求項２に記載の止め刺し器。
【請求項４】
前記パルス状電圧印加回路は、パルス状電圧が出力される出力端子と、該出力端子と電気的に接続されており、かつ、容量が０．１μＦである出力コンデンサとを有する
請求項１、請求項２または請求項３に記載の止め刺し器。
【請求項５】
電圧が印加されたときに陽極となるプラス電極部を害獣に接触させる接触工程と、
前記プラス電極部に、平均電圧値０．３５〜１．５ｋＶを有するパルス状電圧を出力時間１〜１０ｍ秒で印加する電圧印加工程と、
前記プラス電極部に前記パルス状電圧を印加可能なパルス状電圧印加回路と電気的に接続された、かつ、電圧が印加されたときに陰極となるマイナス電極部を接地する接地工程とを備える
止め刺し方法。
【発明の詳細な説明】
【技術分野】
【０００１】
本発明は止め刺し器および止め刺し方法に関する。詳しくは、例えば捕獲したイノシシを止め刺すための、止め刺し器および止め刺し方法に係るものである。
【背景技術】
【０００２】
山間の農業地域では、イノシシや鹿などの害獣が田畑へ侵入して、農作物を食い荒らしてしまう食害が多発している。
そこで、害獣の田畑への侵入を防止するために、田畑の周囲に防護柵が設置されている。
【０００３】
防護柵としては、フェンスや電気柵が用いられており、田畑への害獣侵入を防止する上で一定の成果を上げている。
しかし、防護柵に侵入を阻まれた害獣は、他の田畑へ侵入し食害を与える。従って、その田畑の周囲にも防護柵の設置が必要となる。
【０００４】
すなわち、防護柵の設置は、一時凌ぎの食害防止策であることは否めない。
そこで近年、害獣の捕獲が勧められている。
【０００５】
また、捕獲方法としては、箱罠を用いて捕獲する方法が多い。そして、様々な箱罠が提案されている。
【０００６】
例えば、特許文献１には、図４に示すような檻が記載されている。
すなわち、特許文献１に記載された檻１００は、側柵（１０１、１０２、１０３）と、天井柵１０４と、入り口柵１０５と、底柵１０６とが互いに接続されて組み立てられている。また、入り口柵１０５は、上下に可動する。
また、檻１００の内部の底面すなわち底柵１０６の上面には、網の周囲を固定した可動枠１０７が載置されている。
【０００７】
また、複数本の鋼材が縦横に組み合わされて構成された引き上げ枠１１０が、檻１００の天井柵１０４の上面に載置されている。
また、引き上げ枠１１０の中央近傍には、上方に伸びた引き上げ索１１３の一端が接続されており、引き上げ枠１１０の四隅近傍には、下方に伸びた接続部１０８の一端が接続されている。
また、接続部１０８の他端は可動枠１０７に接続されている。
【０００８】
また、天井柵１０４の上方には、２本のブリッジ支柱１１１と、ブリッジ支柱１１１の上端に架設されたブリッジバー１１４とで構成されたブリッジ部が配置されている。
また、ブリッジバー１１４の略中央には巻き上げ機１１２の本体が取付けられており、巻き上げ機１１２の本体に、引き上げ索１１３の他端が接続されている。
【０００９】
また、巻き上げ機１１２により、引き上げ枠１１０を引き上げ、それにともない接続部１０８を介して可動枠１０７および網を天井柵１０４に向かって上昇させる。
【００１０】
エサで檻の内部に誘い込まれた害獣は、可動枠１０７の網の上に立った状態となり、その状態で巻き上げ機１１２を操作して可動枠１０７および網を天井柵１０４に向かって上昇させる。
すると、害獣の四肢が可動枠１０７に張られた網目の中に入り込み、引き上げを続行することで害獣の腹部を包み込む状態で害獣を宙吊り状態にして、その動きを拘束する。
【先行技術文献】
【特許文献】
【００１１】
【特許文献１】実用新案登録第３１９００８１号公報
【発明の概要】
【発明が解決しようとする課題】
【００１２】
一般的に、捕獲された害獣は止め刺され、すなわち屠殺され、食用の肉に加工される。しかし、作業者が刃物で害獣を止め刺そうとするとき害獣は大暴れするので、止め刺し作業は容易ではない。
【００１３】
特許文献１に記載の檻によって害獣は宙吊りにされるが、宙吊りになっているだけで依然として害獣は元気であり、作業者が刃物を害獣に刺し込んで止め刺そうとするときに体を激しく動かして抵抗するおそれがある。
【００１４】
また、単に檻に入れられただけの害獣よりは、宙吊りにすることで動きも抑えられて止め刺しやすくなってはいるが、気が弱い作業者などにとっては、依然として止め刺し難いと言える。
従って、このような場合でも、簡単に害獣を止め刺すことができる止め刺し器や止め刺し方法が求められていた。
【００１５】
本発明は、以上の点に鑑みて創案されたものであり、簡単に害獣を止め刺すことができる、止め刺し器および止め刺し方法を提供することを目的とする。
【課題を解決するための手段】
【００１６】
上記の目的を達成するために、本発明の止め刺し器は、絶縁性材料で形成されており、かつ、棒状である棒状部材と、該棒状部材の一端に配置されており、かつ、電圧が印加されたときに陽極となるプラス電極部と、該プラス電極部と電気的に接続されており、かつ、同プラス電極部に平均電圧値０．３５〜１．５ｋＶを有するパルス状電圧を出力時間１〜１０ｍ秒で印加可能なパルス状電圧印加回路と、該パルス状電圧印加回路と電気的に接続されており、かつ、電圧が印加されたときに陰極となるマイナス電極部とを備える。
【００１７】
ここで、絶縁性材料で形成されており、かつ、棒状である棒状部材と、棒状部材の一端に配置されており、かつ、電圧が印加されたときに陽極となるプラス電極部とによって、止め刺し作業者は、棒状部材を持って、害獣と距離を置きながらプラス電極部を害獣に接触させることができる。
【００１８】
また、プラス電極部と電気的に接続されており、かつ、プラス電極部に平均電圧値０．３５〜１．５ｋＶを有するパルス状電圧を出力時間１〜１０ｍ秒で印加可能なパルス状電圧印加回路によって、パルス状電圧の平均電圧値を低く設定しながらも１パルス当たりの出力エネルギーすなわち放電エネルギーを下げることなく維持できる。
【００１９】
また、パルス状電圧印加回路と電気的に接続されており、かつ、電圧が印加されたときに陰極となるマイナス電極部によって、止め刺し作業者は、マイナス電極部を接地するだけで、地面に接している害獣をマイナス電極部に接触していることにすることができる。
【００２０】
また、本発明の止め刺し器において、パルス状電圧印加回路は、パルス出力制御信号を出力可能な制御部と、制御部が出力したパルス出力制御信号に基づいて交互にオンになることが可能な２つの絶縁ゲートバイポーラトランジスタとを有するものとすることができる。
【００２１】
この場合、出力エネルギーの損失を小さくすることができる。
【００２２】
さらに、本発明の止め刺し器において、パルス状電圧印加回路は、２つの絶縁ゲートバイポーラトランジスタそれぞれと電気的に接続された２つのダイオードと、ダイオードおよび絶縁ゲートバイポーラトランジスタと電気的に接続された２つの電解コンデンサとを有するものとすることができる。
【００２３】
この場合、倍電圧整流を行うことができ、電源の効率を上げることができる。
【００２４】
また、本発明の止め刺し器において、パルス状電圧印加回路は、パルス状電圧が出力される出力端子と、出力端子と電気的に接続されており、かつ、容量が０．１μＦである出力コンデンサとを有するものとすることができる。
【００２５】
この場合、出力波形を矩形にし易くなる。
【００２６】
また、上記の目的を達成するために、本発明の止め刺し方法は、電圧が印加されたときに陽極となるプラス電極部を害獣に接触させる接触工程と、前記プラス電極部に、平均電圧値０．３５〜１．５ｋＶを有するパルス状電圧を出力時間１〜１０ｍ秒で印加する電圧印加工程と、前記プラス電極部に前記パルス状電圧を印加可能なパルス状電圧印加回路と電気的に接続された、かつ、電圧が印加されたときに陰極となるマイナス電極部を接地する接地工程とを備える。
【００２７】
ここで、電圧が印加されたときに陽極となるプラス電極部を害獣に接触させる接触工程と、プラス電極部に、平均電圧値０．３５〜１．５ｋＶを有するパルス状電圧を出力時間１〜１０ｍ秒で印加する電圧印加工程とによって、害獣に衝撃を与え、害獣を気絶または死に至らしめることができる。
【００２８】
また、プラス電極部に前記パルス状電圧を印加可能なパルス状電圧印加回路と電気的に接続された、かつ、電圧が印加されたときに陰極となるマイナス電極部を接地する接地工程によって、地面に接している害獣をマイナス電極部に接触していることにすることができる。
【発明の効果】
【００２９】
本発明に係る止め刺し器は、簡単に害獣を止め刺すことができる。
本発明に係る止め刺し方法は、簡単に害獣を止め刺すことができる。
【図面の簡単な説明】
【００３０】
【図１】本発明を適用した止め刺し器を用いて、檻に入れられたイノシシを止め刺す様子の一例を示す概略図である。
【図２】本発明を適用した止め刺し器が備えるパルス状電圧印加回路の一例を示す概略図である。
【図３】本発明を適用した止め刺し器を用いて、くくり式罠で捕獲されたイノシシを止め刺す様子の一例を示す概略図である。
【図４】従来の害獣捕獲用の檻を示す概略図である。
【発明を実施するための形態】
【００３１】
以下、本発明の実施の形態について図面を参照しながら説明し、本発明の理解に供する。
図１は、本発明を適用した止め刺し器を用いて、檻に入れられたイノシシを止め刺す様子の一例を示す概略図である。また、図２は、本発明を適用した止め刺し器が備えるパルス状電圧印加回路の一例を示す概略図である。
【００３２】
図１に示す本発明の止め刺し器１は、樹脂またはゴムなどの絶縁性材料で形成された、かつ、棒状である絶縁棒２を備える。
ここで、絶縁棒は棒状部材の一例である。
【００３３】
また、本発明の止め刺し器１は、絶縁棒２の一端に配置された、かつ、電圧が印加されたときに陽極となるプラス電極部３を備える。また、プラス電極部３は針金状の金属である。
【００３４】
また、本発明の止め刺し器１は、回路などの電気部品を有し、かつ、プラス電極部３と電気的に接続された電源装置４を備える。
【００３５】
また、本発明の止め刺し器１は、プラス電極部３と電気的に接続されたパルス状電圧印加回路５を備える。
ここで、パルス状電圧印加回路５は、電源装置４に内蔵されている。
【００３６】
また、図２に示すように、パルス状電圧印加回路５は、蓄電池１４と、蓄電池１４から出力された直流電圧を交流電圧へ変換可能なインバータ１５を有する。
【００３７】
また、パルス状電圧印加回路５は、インバータ１５が変換した交流電圧を整流して直流電圧へ変換可能な、第１のダイオード１６および第２のダイオード１７を有する。
【００３８】
また、パルス状電圧印加回路５は、整流されて変換された直流電圧を蓄積可能な、第１の電解コンデンサ１８および第２の電解コンデンサ１９を有する。
ここで、第１の電解コンデンサ１８の容量および第２の電解コンデンサ１９の容量はそれぞれ、例えば５４００μＦである。
【００３９】
また、パルス状電圧印加回路５は、整流されて変換された直流電圧を蓄積可能な、第１の昇圧用コンデンサ２３および第２の昇圧用コンデンサ２４を有する。
ここで、第１の昇圧用コンデンサ２３の容量および第２の昇圧用コンデンサ２４の容量はそれぞれ、例えば３．３μＦである。
【００４０】
また、第１の電解コンデンサ１８は、第１の昇圧用コンデンサ２３と電気的に接続されている。また、第２の電解コンデンサ１９は、第２の昇圧用コンデンサ２４と電気的に接続されている。
【００４１】
また、パルス状電圧印加回路５は、第１の昇圧用コンデンサ２３と電気的に接続されており、かつ、第１の昇圧用コンデンサ２３が蓄積した直流電圧を出力可能な第１の絶縁ゲートバイポーラトランジスタ２１を有する。
【００４２】
また、パルス状電圧印加回路５は、第２の昇圧用コンデンサ２４と電気的に接続されており、かつ、第２の昇圧用コンデンサ２４が蓄積した直流電圧を出力可能な第２の絶縁ゲートバイポーラトランジスタ２２を有する。
【００４３】
また、パルス状電圧印加回路５は、第１の絶縁ゲートバイポーラトランジスタ２１と第２の絶縁ゲートバイポーラトランジスタ２２とに電気的に接続されたパルストランス２０を有する。
ここで、パルストランスはドライブ回路の一例である。
【００４４】
また、パルス状電圧印加回路５は、所定の周波数例えば５０ｋＨｚを有するパルス出力制御信号をパルストランス２０へ出力可能な制御部３３を有する。
【００４５】
また、パルス状電圧印加回路５は、インバータ１５が変換した交流電圧を直流電圧へ変換して制御部３３へ出力可能な制御部電源３４を有する。
【００４６】
また、パルストランス２０は、制御部３３から入力されたパルス出力制御信号を交互に、第１の絶縁ゲートバイポーラトランジスタ２１と第２の絶縁ゲートバイポーラトランジスタ２２へ出力可能である。
【００４７】
また、第１の絶縁ゲートバイポーラトランジスタ２１および第２の絶縁ゲートバイポーラトランジスタ２２は、入力されたパルス出力制御信号に基づいて交互にオンになることが可能である。
ここで、「絶縁ゲートバイポーラトランジスタがオンになる」とは、絶縁ゲートバイポーラトランジスタを構成する、コレクタとエミッタの間が導通することを意味する。
【００４８】
また、パルス状電圧印加回路５は、１次側巻線と２次側巻線とを有し、かつ、入力された電圧を昇圧可能な昇圧トランス２５を有する。
ここで、昇圧トランス２５は、第１の絶縁ゲートバイポーラトランジスタ２１および第２の絶縁ゲートバイポーラトランジスタ２２と電気的に接続されている。
また、昇圧トランス２５は、第１の昇圧用コンデンサ２３および第２の昇圧用コンデンサ２４と電気的に接続されている。
【００４９】
また、第１の絶縁ゲートバイポーラトランジスタ２１および第２の絶縁ゲートバイポーラトランジスタ２２が、入力されたパルス出力制御信号に基づいて交互にオンになることによって、パルス状電圧を昇圧トランス２５へ出力することが可能である。
その結果、昇圧トランス２５からもパルス状電圧を出力することが可能である。
【００５０】
また、パルス状電圧印加回路５は、昇圧トランス２５と電気的に接続された全波整流回路２６を有する。
ここで、全波整流回路２６は、昇圧トランス２５から入力されたパルス状電圧を全て正のパルス状電圧として出力可能である。
【００５１】
また、パルス状電圧印加回路５は、全波整流回路２６が出力したパルス状電圧を蓄積可能な出力コンデンサ２７を有する。
また、出力コンデンサ２７の一端は接地されており、出力コンデンサ２７の容量は例えば０．１μＦである。
【００５２】
また、パルス状電圧印加回路５は、出力コンデンサ２７が蓄積したパルス状電圧を出力可能な、第１の出力端子３０および第２の出力端子３１を有する。
【００５３】
また、図示していないが、第１の出力端子３０はプラス電極部３と電気的に接続されており、第２の出力端子３１はマイナス電極部６と電気的に接続されている。
従って、パルス状電圧印加回路５は、プラス電極部３にパルス状電圧を印加可能である。
【００５４】
ここで、パルス状電圧は平均電圧値０．３５〜１．５ｋＶを有しており、パルス状電圧の出力時間は１〜１０ｍ秒である。
また、パルス状電圧の周波数は、１００〜３００Ｈｚである。
また、パルス状電圧の１パルス当たりの出力エネルギーすなわち放電エネルギーは、０．５〜１０Ｊである。
【００５５】
また、パルス状電圧の出力時間は、好ましくは２．５〜７ｍ秒、最も好ましくは５ｍ秒である。
また、例えばパルス状電圧の出力時間が５ｍ秒である場合、１０ｍ秒を１周期としてパルス状電圧が繰り返し出力される。
【００５６】
一般的に、イノシシなどの害獣を止め刺そうとするとき、害獣は大暴れするので、止め刺し器を用いた止め刺し作業を短時間で済ませるべく、比較的短時間の出力で害獣を気絶または死に至らしめることができるようにする必要がある。
【００５７】
そして、比較的短時間の出力で害獣を気絶または死に至らしめることができるようにするためには、最大電圧値１０〜４０ｋＶすなわち平均電圧値３〜５ｋＶという比較的高い電圧値を有するパルス状電圧を印加する必要がある。
【００５８】
しかし、このようにパルス状電圧の電圧値が比較的高いと、止め刺し器が故障し易いという問題がある。
従って、本発明の止め刺し器は、パルス状電圧の平均電圧値を０．３５〜１．５ｋＶというように低く設定しながらも、害獣を気絶または死に至らしめるために必要な１パルス当たりの放電エネルギーを下げることなく維持するべく、出力時間を従来の出力時間よりも長くしている。
例えば、従来の出力時間が１０μ秒であるのに対し、本発明の止め刺し器の出力時間は５ｍ秒である。
【００５９】
なお、本発明の止め刺し器の出力時間は、従来の出力時間よりも長いが、止め刺し作業に悪影響を及ぼすほど長くなったわけではなく、止め刺し作業に支障をきたすことはない。
むしろ、最大電圧値１０〜４０ｋＶもしくは平均電圧値３〜５ｋＶという比較的高い電圧値を有するパルス状電圧を、例えば１０μ秒という比較的短い時間で出力する従来の止め刺し器と、平均電圧値０．３５〜１．５ｋＶという比較的低い電圧値を有するパルス状電圧を、例えば５ｍ秒という比較的長い時間で出力する本発明の止め刺し器は、放電エネルギーは略同じであるが、害獣に対する止め刺し効果は、本発明の止め刺し器の方が良い。
【００６０】
また、最大電圧値１０〜４０ｋＶもしくは平均電圧値３〜５ｋＶという比較的高い電圧値を有するパルス状電圧を、例えば１０μ秒という比較的短い時間で出力する従来の止め刺し器は、高価なパルス発生装置を必要としていたが、本発明の止め刺し器のように比較的低い電圧値を有するパルス状電圧を、例えば５ｍ秒という比較的長い時間で出力する場合、高価なパルス発生装置は不要である。
【００６１】
また、パルス状電圧印加回路５は、第１の出力端子３０および第２の出力端子３１と並列に、かつ、電気的に接続された、第１の抵抗器２８および第２の抵抗器２９を有する。
また、出力コンデンサ２７も、第１の出力端子３０および第２の出力端子３１と並列に、かつ、電気的に接続されている。
【００６２】
また、パルス状電圧印加回路５は、第１の出力端子３０および第２の出力端子３１から出力されるパルス状電圧の電圧値を検出可能な出力電圧検出部３２を有する。
また、出力電圧検出部３２は、検出したパルス状電圧の電圧値を制御部３３へ送信可能である。
【００６３】
また、制御部３３は、出力電圧検出部３２から送信されたパルス状電圧の電圧値が所定の値を超えた場合、パルス出力制御信号の出力を停止可能である。
【００６４】
また、本発明の止め刺し器１が備える電源装置４は、制御部３３からパルス出力制御信号が出力されているときに点灯可能な出力ランプ９を有する。
また、電源装置４ではなく、絶縁棒２の表面に出力ランプ９が取付けられるようにすることもできる。
【００６５】
また、本発明の止め刺し器１が備える電源装置４には、パルス出力制御信号の周波数を表示可能な設定周波数表示部８を有する。
【００６６】
また、本発明の止め刺し器１は、パルス出力制御信号の出力のオンオフを切替え可能な出力オンオフスイッチ１０を備える。
すなわち、出力オンオフスイッチ１０は、パルス状電圧印加回路５のオンオフを切替え可能である。
また、出力オンオフスイッチ１０は、止め刺し作業者が操作し易いように、絶縁棒２の表面に取付けられている。
【００６７】
また、本発明の止め刺し器１は、パルス出力制御信号の周波数を変更可能な出力周波数変更スイッチ１１を備える。
また、出力周波数変更スイッチ１１は、止め刺し作業者が操作し易いように、絶縁棒２の表面に取付けられている。
また、絶縁棒２ではなく、電源装置４が出力周波数変更スイッチ１１を有することもできる。
【００６８】
また、パルス状電圧印加回路５は蓄電池１４を有するので、蓄電池１４に充電して本発明の止め刺し器１を、止め刺し作業を行う現場へ持ち運んで使用することができる。
【００６９】
また、本発明の止め刺し器１は、パルス状電圧印加回路５と電気的に接続された、かつ、電圧が印加されたときに陰極となるマイナス電極部６を備える。
ここで、マイナス電極部６は、表面が樹脂またはゴムなどの絶縁性材料で覆われた導電線７を介してパルス電圧印加回路５と電気的に接続されている。
【００７０】
また、マイナス電極部６は、金属棒などの導電性部材を挟持可能な形状を有する。マイナス電極部６は、具体的には例えばクリップ形状を有する。
【００７１】
ここで、プラス電極部は必ずしも針金状でなくてもよい。しかし、プラス電極部が針金状であれば、害獣にプラス電極部を接触させやすいので好ましい。
特にイノシシは、目の前に出された物に対して自ら接触する習性を持つので、プラス電極部を接触させやすい。
【００７２】
また、マイナス電極部は必ずしも導電性部材を挟持可能な形状を有していなくてもよい。
しかし、マイナス電極部が導電性部材を挟持可能な形状を有していれば、檻の金属棒や、地面に突き刺さった金属棒に、簡単にマイナス電極部を接続することができるので、マイナス電極部自体を地面に突き刺す必要がなく、マイナス電極部を接地しやすいので好ましい。
【００７３】
また、必ずしも蓄電池を使用しなくてもよく、乾電池や太陽電池を使用することもできる。
【００７４】
また、パルス状電圧印加回路が、プラス電極部に平均電圧値０．３５〜１．５ｋＶを有するパルス状電圧を出力時間１〜１０ｍ秒で印加可能であれば、必ずしもパルス状電圧印加回路は図２に示すような構成でなくてもよい。
また、絶縁ゲートバイポーラトランジスタの代わりにＭＯＳＦＥＴを使用することもできる。
【００７５】
しかし、パルス状電圧印加回路が、２つの絶縁ゲートバイポーラトランジスタを有していれば、出力エネルギーの損失を小さくすることができるので好ましい。
【００７６】
また、パルス状電圧印加回路が、２つの絶縁ゲートバイポーラトランジスタそれぞれと電気的に接続された２つのダイオードと、ダイオードおよび絶縁ゲートバイポーラトランジスタと電気的に接続された２つの電解コンデンサとを有していれば、倍電圧整流を行うことができ、電源の効率を上げることができるので好ましい。
【００７７】
また、パルス状電圧印加回路が、出力端子と電気的に接続されており、かつ、容量が０．１μＦである出力コンデンサを有していれば、出力波形を矩形にし易くなるので好ましい。
【００７８】
図３は、本発明を適用した止め刺し器を用いて、くくり式罠で捕獲されたイノシシを止め刺す様子の一例を示す概略図である。
【００７９】
ここで、図３に示す本発明の止め刺し器の構成は、図１に示す本発明の止め刺し器の構成と同じであるので、説明を省略する。
なお、くくり式罠で捕獲されたイノシシを止め刺す場合、本発明の止め刺し器の針金状のプラス電極部の長さは、約５〜６ｃｍとすることが好ましい。
【００８０】
次に、図１、図２および図３を参照して、本発明の止め刺し器を用いてイノシシを止め刺す方法である本発明の止め刺し方法を説明する。また、イノシシは害獣の一例である。
【００８１】
すなわち、本発明の止め刺し方法は、電圧が印加されたときに陽極となるプラス電極部３をイノシシ１３に接触させる接触工程と、プラス電極部３に、平均電圧値０．３５〜１．５ｋＶを有するパルス状電圧を出力時間１〜１０ｍ秒で印加する電圧印加工程と、プラス電極部３にパルス状電圧を印加可能なパルス状電圧印加回路５と電気的に接続された、かつ、電圧が印加されたときに陰極となるマイナス電極部６を接地する接地工程とを備える。
【００８２】
図１および図２を参照して、本発明の止め刺し方法を説明する。
止め刺し作業者は、クリップ形状を有するマイナス電極部６で檻１２の金属棒１２Ａを挟持し、マイナス電極部６を接地する。
すなわち、檻１２の金属棒１２Ａは地面に接しているので、マイナス電極部６を檻１２の金属棒１２Ａに接続することで、マイナス電極部６を接地することができる。
【００８３】
また、檻１２の中では、生きているイノシシ１３が暴れ回っている。
止め刺し作業者は、一端にプラス電極部３が配置された絶縁棒２を持って、プラス電極部３を檻１２の中に差し込む。
【００８４】
ここで、イノシシ１３の足は、暴れ回っていても必ず地面または檻１２の地面に接触した底部の金属棒１２Ａに接触しているので、マイナス電極部６は常にイノシシ１３に接触していることになる。
【００８５】
また、止め刺し作業者は、絶縁棒２の表面に取付けられた出力オンオフスイッチ１０を押してパルス状電圧印加回路５をオンに切替える。
【００８６】
すなわち、止め刺し作業者が、出力オンオフスイッチ１０を押すことでパルス出力制御信号の出力をオンに切替える。
すると、制御部３３が、例えば周波数５０ｋＨｚを有するパルス出力制御信号をパルストランス２０へ出力する。
【００８７】
次に、パルストランス２０が、制御部３３から入力されたパルス出力制御信号を交互に、第１の絶縁ゲートバイポーラトランジスタ２１と第２の絶縁ゲートバイポーラトランジスタ２２へ出力する。
【００８８】
そして、第１の絶縁ゲートバイポーラトランジスタ２１および第２の絶縁ゲートバイポーラトランジスタ２２が、入力されたパルス出力制御信号に基づいて交互にオンになり、パルス状電圧を昇圧トランス２５へ出力する。
【００８９】
さらに、昇圧トランス２５が、パルス状電圧を全波整流回路２６へ出力する。
【００９０】
次に、全波整流回路２６が、昇圧トランス２５から入力されたパルス状電圧を全て正のパルス状電圧として出力する。
【００９１】
そして、出力コンデンサ２７が、全波整流回路２６から入力されたパルス状電圧を蓄積し、出力コンデンサ２７からパルス状電圧が、第１の出力端子３０および第２の出力端子３１へ放出される。
【００９２】
すると、パルス状電圧印加回路５が、プラス電極部３に例えば平均電圧値０．８ｋＶ、平均電流値１．６Ａおよび周波数１００Ｈｚを有するパルス状電圧を例えば出力時間５ｍ秒で印加する。
また、このときのパルス状電圧の１パルス当たりの放電エネルギーは６．４Ｊである。
【００９３】
また、パルス状電圧の１パルス当たりの放電エネルギー６．４Ｊは、平均電圧値と平均電流値と出力時間とに基づいて算出された値であるが、このように平均電圧値と平均電流値とに基づいて算出された１パルス当たりの放電エネルギーは、実測された１パルス当たりの放電エネルギーと略同じである。
【００９４】
一方、平均電圧値に基づかず、最大電圧値に基づいて算出された、パルス状電圧の１パルス当たりの放電エネルギーは、実測された１パルス当たりの放電エネルギーから大きくずれてしまう。
【００９５】
また、出力オンオフスイッチ１０が押されている間は、プラス電極部３にパルス状電圧が印加されており、出力オンオフスイッチ１０から指を離す、すなわち出力オンオフスイッチ１０が押されなくなるとパルス状電圧印加回路５はオフに切替わり、プラス電極部３にパルス状電圧が印加されなくなる。
【００９６】
また、止め刺し作業者は、出力オンオフスイッチ１０を押し続けながら、プラス電極部３をイノシシ１３に近づける。
すると、イノシシ１３は、自らプラス電極部３に接触することが多いが、イノシシ１３が自らプラス電極部３に接触しない場合は、止め刺し作業者がプラス電極部３をイノシシ１３に接触させる。
【００９７】
プラス電極部３を一瞬、イノシシ１３に接触させるだけで、１発目のパルス状電圧がイノシシ１３に印加される。
この１発目のパルス状電圧をイノシシ１３に印加した後、続けて約０．０１秒ごとにパルス状電圧がイノシシ１３に印加される。
【００９８】
１発目のパルス状電圧をイノシシ１３に印加してから、約２秒経過後にイノシシ１３は気絶し、１発目のパルス状電圧をイノシシ１３に印加してから、約５秒経過後にイノシシ１３は死に至る。
すなわち、本発明の止め刺し器１は、プラス電極部３またはマイナス電極部６をイノシシ１３の体内に差し込むことなく、イノシシ１３を気絶または死に至らしめることができる。
【００９９】
次に、図３を参照して、本発明の止め刺し方法を説明する。
図３は、くくり式罠で捕獲されたイノシシを止め刺す様子の一例を示しているが、くくり式罠とは、檻を使用しない罠である。
【０１００】
くくり式罠は次のようにして設置される。
まず、地面に直径約３０ｃｍの穴を掘り、穴の周囲を環状ワイヤーで取り囲む。環状ワイヤーは、長手方向を有する締め付け具の一端に取付けられており、締め付け具の他端には直線状ワイヤーの一端が取付けられている。
【０１０１】
また、直線状ワイヤーの他端は、立木にくくりつけられている。直線状ワイヤーの長さは約２ｍである。
穴は、外部から判らないように、枯草や土で隠されている。
【０１０２】
この穴にイノシシ１３が足を踏み込むと、イノシシ１３の踏み込んだ足には環状ワイヤー３６が絡みつき、締め付け具３８でイノシシ１３の足はしっかり締め付けられる。
一端が締め付け具３８に取付けられた直線状ワイヤー３７の他端は立木３９にくくりつけられているので、イノシシ１３は立木３９に繋がれた状態となる。
【０１０３】
このようにして、くくり式罠でイノシシ１３を捕獲する。
【０１０４】
また、クリップ形状を有するマイナス電極部６で、地面に突き刺した金属棒３５を挟持し、マイナス電極部６を接地する。
【０１０５】
止め刺し作業者は、一端に約１ｍの長さを有するプラス電極部３が配置された絶縁棒２を持って、プラス電極部３をイノシシ１３に近づける。
【０１０６】
このとき、止め刺し作業者は、絶縁棒２の表面に取付けられた出力オンオフスイッチ１０を押してパルス状電圧印加回路５をオンに切替え、プラス電極部３に例えば平均電圧値０．８ｋＶ、平均電流値１．６Ａおよび周波数１００Ｈｚを有するパルス状電圧を例えば出力時間５ｍ秒で印加する。
なお、このときのパルス状電圧印加回路５の動作は、図１および図２を参照して説明した本発明の止め刺し方法のパルス状電圧印加回路５の動作と同じであるので説明を省略する。
【０１０７】
また、止め刺し作業者は、出力オンオフスイッチ１０を押し続けながら、プラス電極部３をイノシシ１３に近づけ、プラス電極部３をイノシシ１３に接触させる。
【０１０８】
パルス状電圧が印加されたプラス電極部３をイノシシ１３に接触させると、パルス状電圧がイノシシ１３に印加され、イノシシ１３は死に至る。
【０１０９】
くくり式罠で捕獲されたイノシシは、檻に入れられたイノシシ以上に動き回るが、本発明の止め刺し器および本発明の止め刺し方法は、パルス状電圧が印加されたプラス電極部をイノシシに接触させるだけで死に至らしめるので、効果をより発揮できる。
【０１１０】
また、害獣としてイノシシを例に挙げて説明したが、例えば捕獲した猿を止め刺す場合にも、本発明の止め刺し器や本発明の止め刺し方法は効果を発揮する。
【０１１１】
以上のように、本発明の止め刺し器は、絶縁性材料で形成された、かつ、棒状である棒状部材すなわち絶縁棒と、絶縁棒の一端に配置された、かつ、電圧が印加されたときに陽極となるプラス電極部とを備えているので、止め刺し作業者は、棒状部材を持って、害獣と距離を置きながらプラス電極部を害獣に接触させることができる。
【０１１２】
また、本発明の止め刺し器は、プラス電極部と電気的に接続されており、かつ、プラス電極部に平均電圧値０．３５〜１．５ｋＶを有するパルス状電圧を出力時間１〜１０ｍ秒で印加可能なパルス状電圧印加回路を備えているので、パルス状電圧の平均電圧値を低く設定しながらも１パルス当たりの出力エネルギーすなわち放電エネルギーを下げることなく維持できる。
【０１１３】
また、本発明の止め刺し器は、パルス状電圧印加回路と電気的に接続された、かつ、電圧が印加されたときに陰極となるマイナス電極部を備えているので、止め刺し作業者は、マイナス電極部を接地するだけで、地面に接している害獣をマイナス電極部に接触していることにすることができる。
【０１１４】
従って、本発明の止め刺し器は、プラス電極部とマイナス電極部のうちプラス電極部のみを害獣に接触させればよいので、簡単に害獣を止め刺すことができる。
また、このような本発明の止め刺し器を用いて害獣を止め刺す方法である本発明の止め刺し方法も、簡単に害獣を止め刺すことができる。
【０１１５】
また、本発明の止め刺し器は、パルス状電圧の平均電圧値を０．３５〜１．５ｋＶというように低く設定しているので、故障し難い。さらに、本発明の止め刺し器は、パルス状電圧の平均電圧値を０．３５〜１．５ｋＶというように低く設定すると共にパルス状電圧の出力時間を比較的長く設定しているので、高価なパルス発生装置は不要である。
【０１１６】
また、本発明の止め刺し器は、害獣を止め刺すときに、短時間だけ作動できればよいので、大掛かりな電源を必要としない。従って、本発明の止め刺し器は、屋外のどこにでも持って行くことができ、その場で止め刺し作業を行うことができる。
【０１１７】
また、刃物で害獣を止め刺す場合は、慣れた専門家でなくては困難であるが、本発明の止め刺し器は、専門的な熟練を要せず、すぐに使用することができる。
また、本発明の止め刺し器は、電気による衝撃を害獣に与えて気絶または死に至らしめるので、害獣を出血させることなく搬送できる。
【符号の説明】
【０１１８】
１    止め刺し器
２    絶縁棒
３    プラス電極部
４    電源装置
５    パルス状電圧印加回路
６    マイナス電極部
７    導電線
８    設定周波数表示部
９    出力ランプ
１０    出力オンオフスイッチ
１１    出力周波数変更スイッチ
１２    檻
１２Ａ  金属棒
１３    イノシシ
１４    蓄電池
１５    インバータ
１６    第１のダイオード
１７    第２のダイオード
１８    第１の電解コンデンサ
１９    第２の電解コンデンサ
２０    パルストランス
２１    第１の絶縁ゲートバイポーラトランジスタ
２２    第２の絶縁ゲートバイポーラトランジスタ
２３    第１の昇圧用コンデンサ
２４    第２の昇圧用コンデンサ
２５    昇圧トランス
２６    全波整流回路
２７    出力コンデンサ
２８    第１の抵抗器
２９    第２の抵抗器
３０    第１の出力端子
３１    第２の出力端子
３２    出力電圧検出部
３３    制御部
３４    制御部電源
３５    金属棒
３６    環状ワイヤー
３７    直線状ワイヤー
３８    締め付け具
３９    立木
【図１】
2018007577.tif 000003
【図２】
2018007577.tif 000004
【図３】
2018007577.tif 000005
【図４】
2018007577.tif 000006